(57)【特許請求の範囲】
【請求項１】
遊技盤１に装着された図柄変動開始用の始動入賞口３ａを有する始動入賞装置３の直上方に遊技球用の球誘導機構を備えた図柄表示装置２が設置されたパチンコ機において、
前記図柄表示装置２の球誘導機構は、前記遊技盤１に装着されて図柄透視用の窓口７ｄを正面中央部に開口したベースフレーム７と、該ベースフレーム７の裏側中央部に装備された前記図柄表示装置２の図柄表示体１３および表示体基板２９を迂回して左右両側部位に配設された誘導樋１５，１５とを備え、
前記ベースフレーム７は、前記窓口７ｄ上方の前側左右部に形成された球受口９，９と、この球受口９，９の裏側に連設された左右の樋部１１，１１と、前記窓口７ｄ下方の裏側左右部に形成された球通し口１４，１４と、前記窓口７ｄの下方前側で左右の側端部から中央部に亘り緩やかに傾斜する凹円弧状に連設された誘導路面１６，１６と、この左右の誘導路面１６，１６の前縁部に沿って立設されて後面に前壁路面２１，２１を形成した壁路板２０，２０と、該左右の壁路板２０，２０の内端縁間に開設されて前記誘導路面１６，１６の中央路面部に位置するパチンコ球を前記始動入賞装置３の始動入賞口３ａに向けて放出落下し得る球落し口２２とを有する一方、
前記誘導樋１５，１５は、前記ベースフレーム７の前記樋部１１，１１の裏側と前記球通し口１４，１４の裏側とに連設されて前記ベースフレーム７と前記誘導樋１５，１５に亘り連通する左右一対の球誘導通路２３，２３を形成するものであり、
前記球誘導通路２３，２３では、前記ベースフレーム７の樋部１１，１１内に形成された上誘導路２６，２６の裏側出口と、前記誘導樋１５，１５内に形成された後誘導路２７，２７の上部路とが連通され、該後誘導路２７，２７の下部路と、前記誘導路面１６，１６に沿って形成された下誘導路２８，２８とが前記球通し口１４，１４を介し連通されて構成されるとともに、前記左右の壁路板２０，２０間の前記球落し口２２の左右両側部に、前記誘導路面１６，１６に沿って前記下誘導路２８，２８を流通するパチンコ球と当接して球勢を減少して転がり方向を前記誘導路面１６，１６の奥側へ変向するための平面ほぼ山形状の一対の減勢部２５，２５が、前記誘導路面１６，１６側に向けた突出状態で配設され、かつ、前記誘導路面１６，１６の中央路面部の上面であって前記球落し口２２の中心部には、パチンコ球を前記始動入賞口３ａに向けて案内し得る誘導溝１７が前下り傾斜状に形成されたことを特徴とするパチンコ機の球誘導機構。
【発明の詳細な説明】
【０００１】
【産業上の利用分野】
この発明はパチンコ機に係り、詳しくは遊技盤に装着された図柄表示装置に構成された遊技球用の球誘導機構に関する。
【０００２】
【従来の技術】
パチンコ機の遊技盤に装着された図柄表示装置の球誘導機構には遊技盤面に打出されたパチンコ球を受入れる球受口と、遊技盤面の入賞口の直上に開設された球落し口とを連通する球通路が形成され、この球通路の下部にはパチンコ球が前記球落し口に向って流下する左右１対の誘導路が形成されている。
【０００３】
【発明が解決しようとする課題】
前記誘導路を通行するパチンコ球の通行速度が速いと、そのパチンコ球がその球勢によって球落し口から斜め下方へ転落して入賞口に入賞しにくくなる不具合や、パチンコ球が一方の誘導路を通り過ぎて他方の誘導路に進入する通行動作を繰返して誘導路でのパチンコ球の滞留時間が長くなる不具合がある。本発明は球誘導機構において、球落し口へ誘導されるパチンコ球の球勢を弱くすることを課題とするものである。
【０００４】
【課題を解決するための手段】
請求項１の発明は、遊技盤に装着された図柄変動開始用の始動入賞口を有する始動入賞装置の直上方に遊技球用の球誘導機構を備えた図柄表示装置が設置されたパチンコ機において、
前記図柄表示装置の球誘導機構は、前記遊技盤に装着されて図柄透視用の窓口を正面中央部に開口したベースフレームと、該ベースフレームの裏側中央部に装備された前記図柄表示装置の図柄表示体および表示体基板を迂回して左右両側部位に配設された誘導樋とを備え、
前記ベースフレームは、前記窓口上方の前側左右部に形成された球受口と、この球受口の裏側に連設された左右の樋部と、前記窓口下方の裏側左右部に形成された球通し口と、前記窓口の下方前側で左右の側端部から中央部に亘り緩やかに傾斜する凹円弧状に連設された誘導路面と、この左右の誘導路面の前縁部に沿って立設されて後面に前壁路面を形成した壁路板と、該左右の壁路板の内端縁間に開設されて前記誘導路面の中央路面部に位置するパチンコ球を前記始動入賞装置の始動入賞口に向けて放出落下し得る球落し口とを有する一方、
前記誘導樋は、前記ベースフレームの前記樋部の裏側と前記球通し口の裏側とに連設されて前記ベースフレームと前記誘導樋に亘り連通する左右一対の球誘導通路を形成するものであり、
前記球誘導通路では、前記ベースフレームの樋部内に形成された上誘導路の裏側出口と、前記誘導樋内に形成された後誘導路の上部路とが連通され、該後誘導路の下部路と、前記誘導路面に沿って形成された下誘導路とが前記球通し口を介し連通されて構成されるとともに、前記左右の壁路板間の前記球落し口の左右両側部に、前記誘導路面に沿って前記下誘導路を流通するパチンコ球と当接して球勢を減少して転がり方向を前記誘導路面の奥側へ変向するための平面ほぼ山形状の一対の減勢部が、前記誘導路面側に向けた突出状態で配設され、かつ、前記誘導路面の中央路面部の上面であって前記球落し口の中心部には、パチンコ球を前記始動入賞口に向けて案内し得る誘導溝が前下り傾斜状に形成された構成を有する。
【０００５】
【０００６】
【作用】
請求項１の発明では、パチンコ球が球落し口に向って流下すると、そのパチンコ球の球勢が球落し口の近傍で減勢部によって弱められ、球勢が弱められたパチンコ球が球落し口から転落する。
【０００７】
請求項１の発明では、誘導路の終端部付近へ流下したパチンコ球が減勢部によってはね返され、そのパチンコ球の転がり方向が変向されて球勢が弱められた状態で各パチンコ球が球落し口へ誘導される。
【０００８】
【発明の効果】
請求項１の発明によれば、球落し口に向って流下するパチンコ球をその球勢を減勢部によって弱めた状態で球落し口へ導入することができ、球落し口から転落するパチンコ球の転落方向を是正して転落方向の変動範囲を縮小することができる。
【０００９】
請求項１の発明によれば、誘導路の路面の勾配が急で誘導路を通行するパチンコ球の球勢が強い場合であっても、そのパチンコ球の転り速度を的確に減速させてその球勢を効果的に減殺してから、そのパチンコ球を球落し口から転落させることができるとともに、誘導路でのパチンコ球の滞留時間を短縮することができる。
【００１０】
【実施例】
次に、本発明の１実施例を図面にしたがって説明する。パチンコ機において、遊技盤１の中央部付近には左、右、中特別図柄を変動表示する横長状の特別図柄表示部２ａと、普通図柄を表示する普通図柄表示部２ｂと、球誘導機構とを備えた図柄表示装置２が装着されている。
【００１１】
また、遊技盤１には図柄表示装置２の下方に設置されて開閉制御可能な始動入賞口３ａを有する始動入賞装置３と、この始動入賞装置３の下方に設置されて開閉制御可能な大入賞口４ａおよび左右１対の入賞口４ｂを有する下入賞装置４と、図柄表示装置２の両側方に隣設された左右のゲート５とが装着されている。
【００１２】
遊技盤面１ａに打出されたパチンコ球がゲート５を通過すると、普通図柄表示部２ｂが普通図柄の変動表示を開始し、パチンコ球がゲート５を通過してから一定時間経過すると、普通図柄表示部２ｂが普通図柄の変動表示を停止してこの変動表示停止時の普通図柄が当り図柄となった場合には始動入賞口３ａが０．５秒間若しくは２秒間開放される。
【００１３】
遊技球が始動入賞口３ａに入賞すると、特別図柄表示部２ａが左、中、右特別図柄の変動表示を開始し、遊技球が始動入賞口３ａに入賞してから一定時間経過すると、特別図柄表示部が左、右、中特別図柄の順に各特別図柄の変動表示を停止してこの変動表示停止時の特別図柄の組合わせが当り図柄となると、大入賞口４ａが約３０秒間開放される。
【００１４】
遊技盤１の前面に装着される図柄表示装置２は、その外郭部材として、上壁部７ａおよび下壁部７ｂと、左右の側壁部７ｃ，７ｃとを有し、横長状の図柄表示用の窓部７ｄが開口されてほぼ方形枠状に形成されたベースフレーム７を備えている。
【００１５】
ベースフレーム７の後面には上記窓部７ｄを閉塞する図柄透視用の窓板１２がねじ止めされるとともに、ベースフレーム７の後側にはこのベースフレーム７に結合された表示体基板２９と、この表示体基板２９の前面に取付けられて特別図柄表示部２ａに横１列に配列された３つの図柄表示体１３とが設置されている。
【００１６】
図柄表示装置２の球誘導機構において、ベースフレーム７の上壁部７ａにはその左右方向中央部の上端に配設された天入賞口８と、この天入賞口８の左斜め下方および右斜め下方にそれぞれ配設された左右１対の球受口９とが開口されるとともに、上壁部７ａには天入賞口８の後側に設置されて天入賞口８に落入したパチンコ球を遊技盤１の裏側へ誘導する第１樋部１０と、両球受口９の後側にそれぞれ設置されて球受口９に落入したパチンコ球を後方へ誘導する左右１対の第２樋部１１とが形成されている。
【００１７】
ベースフレーム７の両側壁部７ｃの後端部の下端には左右１対の球通し口１４が開設され、左側の球通し口１４および左側の第２樋部１１と、右側の球通し口１４および右側の第２樋部１１とは表示体基板２９および図柄表示体１３を迂回した状態で遊技盤１の後側に設置されてベースフレーム７に結合された左右の誘導樋１５によってそれぞれ連通されている。
【００１８】
ベースフレーム７の下壁部７ｂの上面には両球通し口１４の前側から下壁部７ｂの上面の左右方向中央部にわたってそれぞれ内方へ先下り状で凹円弧状に傾斜しかつ内端部付近が若干前下り状に傾斜した左右１対の誘導路面１６が遊技盤面に沿って形成され、この両誘導路面１６の境界部、すなわち両誘導路面１６の中央路面部の上面（図２参照）には、溝幅が前方へ漸増した状態で平面形状がほぼＶ形状に形成され、誘導路面１６の内端へ転動したパチンコ球を前方（図２中の始動入賞装置３の始動入賞口３ａ）へ誘導する誘導溝１７が凹設されている。
【００１９】
下壁部７ｂの後端には両誘導路面１６の後端縁に連接された左右１対の後通路壁１８が立設され、両誘導路面１６の後端縁には両後通路壁１８の前面と窓板１２の下部前面とによって形成された後路壁面１９が形成されている。
【００２０】
下壁部７ｂの前端面には上部が両誘導路面１６の前端縁上に突出されて上端縁が両誘導路面１６とほぼ同様に傾斜した左右１対の路壁板２０が結合され、この両路壁板２０の後面にはそれぞれ前路壁面２１が形成されている。
【００２１】
ベースフレーム７の下壁部７ｂの前端の左右方向中央部には両路壁板２０の内端縁間に開設されて始動入賞装置３の始動入賞口３ａの直上に配設され、両誘導路面１６の中央路面部に位置したパチンコ球を始動入賞口３ａに向けて転落させる球落し口２２が形成されている。
【００２２】
図柄表示装置２の球誘導機構は両球受口９と、球落し口２２とをそれぞれ連通する左右１対の球誘導通路２３を備え、この両球誘導通路２３は第２樋部１１内に形成された上誘導路２６と、誘導樋１５内に形成された後誘導路２７と、誘導路面１６上で前後路壁面２１，１９間に形成された下誘導路２８とが一連状に接続された状態でそれぞれ形成され、球受口９に落入したパチンコ球は何れか一方の球誘導通路２３を通って球落し口２２から転落する。
【００２３】
ベースフレーム７の下壁部７ｂの両前通路壁２０の前路壁面２１の内端部で球落し口２２の近傍（図４中の左右両側）には両下誘導路２８の終端部にそれぞれ配設されて山形状に降起した横断面形状を有し、下誘導路２８の終端部へ流下したパチンコ球の転がり方向を変向させてそのパチンコ球の球勢を減殺する減勢部２５がそれぞれ凸設されている（図４参照）。
【００２４】
下誘導路２８の終端部へ流下したパチンコ球は下誘導路２８を通り抜ける直前に減勢部２５に衝突して後路壁面１９側へはね返され、衝突によって球勢が弱められた状態で球落し口２２へ誘導されて球落し口２２から転落する。
【００２５】
続いて、上記した構成を有する実施例の作用と効果について説明する。本例では、遊技盤面１ａに打出されたパチンコ球を受入れる球受口９と、遊技盤面１ａの始動入賞口３ａの直上に開設された球落し口２２とを連通する球誘導通路２３のうち、球落し口２２の両側方にそれぞれ先下り状に形成された左右１対の下誘導路２８の終端部付近の前路壁面２１には下誘導路２８を通り抜けるパチンコ球の転がり方向を変向させて球勢を減殺する減勢部２５をそれぞれ凸設してある。
【００２６】
このため、球落し口２２に向って流下するパチンコ球をその球勢を減勢部２５によって弱めた状態で球落し口２２へ導入することができ、球落し口２２から転落するパチンコ球の転落方向を是正して転落方向の変動範囲を縮小することができる。
【００２７】
また、下誘導路２８の路面の勾配が急で下誘導路２８を通行するパチンコ球の球勢が強い場合であっても、そのパチンコ球の転り速度を的確に減速させてその球勢を効果的に減殺してから、そのパチンコ球を球落し口２２から転落させることができるとともに、下誘導路２８でのパチンコ球の滞留時間を短縮することができる。
【００２８】
なお、減勢部２５を下誘導路２８の終端部付近の路壁面に凹設した溝部によって形成してもよい。また、誘導路面１６の内端部付近に凸設した突起若しくは誘導路面１６の内端部付近に凹設した溝部によって減勢部２５を形成するようにしてもよい。
【図面の簡単な説明】
【図１】本発明の１実施例を示す遊技盤の正面図である。
【図２】図柄表示装置および始動入賞装置の正面図である。
【図３】図２のＸ１−Ｘ１線拡大断面図である。
【図４】図２のＸ２−Ｘ２線拡大断面図である。
【図５】図２のＸ３−Ｘ３線拡大断面図である。
【図６】図４のＸ４−Ｘ４線矢視図である。
【図７】路壁板の裏面図である。
【符号の説明】
１  遊技盤
２  図柄表示装置
３ａ  始動入賞口
９  球受口
１６  誘導路面
２１  前路壁面
２２  球落し口
２３  球誘導通路
２５  減勢部
２８  下誘導路
【図１】
0004099800.tif 000002
【図２】
0004099800.tif 000003
【図３】
0004099800.tif 000004
【図４】
0004099800.tif 000005
【図５】
0004099800.tif 000006
【図６】
0004099800.tif 000007
【図７】
0004099800.tif 000008